(57)【特許請求の範囲】
【請求項１】
記録媒体上にインクを吐出する吐出ノズルが開口するノズル領域が設けられた記録ヘッドの回復システムであって、
前記吐出ノズルから強制的に押出されたパージインクを拭き取るワイパーと、
該ワイパーを、前記ノズル領域を含むインク吐出面に沿って往復移動させる駆動機構と、
前記吐出ノズルからのインクの押し出し及び吐出、並びに前記駆動機構の動作を制御する制御部と、
を備え、
前記制御部は、
前記吐出ノズルからインクを強制的に押出して前記ノズル領域に前記パージインクを付着させる第１インク押出動作と、
前記インク吐出面における前記ノズル領域の外側の第１位置に前記ワイパーを圧接させた後、前記ワイパーを前記インク吐出面に圧接させた状態で前記インク吐出面に沿って前記ノズル領域側に向かう第１方向に移動させることにより、前記パージインクを拭き取り、前記ノズル領域に対して前記第１位置とは反対側の第２位置まで前記ワイパーを移動させる第１拭き取り動作と、
前記第１拭き取り動作の実行後、前記吐出ノズルからインクを強制的に押出して前記ノズル領域に前記第１インク押出動作よりも多くの前記パージインクを付着させる第２インク押出動作と、
前記ワイパーを前記インク吐出面に圧接させた状態で前記インク吐出面に沿って前記第１方向とは反対の第２方向に移動させることにより、前記第２インク押出動作時に押出された前記パージインク及び前記第１拭き取り動作時に前記第１位置に付着したインクを拭き取る第２拭き取り動作と、
を含む前記記録ヘッドの回復動作を実行可能であることを特徴とする記録ヘッドの回復システム。
【請求項２】
前記制御部は、
前記第１拭き取り動作の実行後、前記ワイパーを前記インク吐出面から離間させる離間動作を実行するとともに、
前記第２拭き取り動作時に、前記第２位置に対して前記ノズル領域とは反対側の位置において前記ワイパーを前記インク吐出面に圧接させ、前記ワイパーを前記インク吐出面に圧接させた状態で前記インク吐出面に沿って前記第２方向に移動させることにより、前記離間動作によって前記第２位置に付着したインクと前記第２インク押出動作時に押出された前記パージインクとを拭き取ることを特徴とする請求項１に記載の記録ヘッドの回復システム。
【請求項３】
前記第２位置は、前記ノズル領域に比べて親水性が高くなるように形成されていることを特徴とする請求項２に記載の記録ヘッドの回復システム。
【請求項４】
前記インク吐出面の前記第２位置を含む所定領域には、前記ノズル領域に比べて親水性の高い親水性部材が設けられていることを特徴とする請求項３に記載の記録ヘッドの回復システム。
【請求項５】
請求項１〜４のいずれか１項に記載の記録ヘッドの回復システムを備えたことを特徴とするインクジェット記録装置。
【請求項６】
記録媒体上にインクを吐出する吐出ノズルが開口するノズル領域が設けられたインク吐出面を含む記録ヘッドの回復方法であって、
前記吐出ノズルからインクを強制的に押出して前記ノズル領域にパージインクを付着させる第１インク押出動作と、
前記インク吐出面における前記ノズル領域の外側の第１位置にワイパーを圧接させた後、前記ワイパーを前記インク吐出面に圧接させた状態で前記インク吐出面に沿って前記ノズル領域側に向かう第１方向に移動させることにより、前記パージインクを拭き取り、前記ノズル領域に対して前記第１位置とは反対側の第２位置まで前記ワイパーを移動させる第１拭き取り動作と、
前記第１拭き取り動作の実行後、前記吐出ノズルからインクを強制的に押出して前記ノズル領域に前記第１インク押出動作よりも多くの前記パージインクを付着させる第２インク押出動作と、
前記ワイパーを前記インク吐出面に圧接させた状態で前記インク吐出面に沿って前記第１方向とは反対の第２方向に移動させることにより、前記第２インク押出動作時に押出された前記パージインク及び前記第１拭き取り動作時に前記第１位置に付着したインクを拭き取る第２拭き取り動作と、
を備えることを特徴とする記録ヘッドの回復方法。
【発明の詳細な説明】
【技術分野】
【０００１】
本発明は、用紙のような記録媒体にインクを吐出することによって記録を行うインクジェット記録装置に関し、特に、記録ヘッドの吐出ノズルからインクを強制的に押出した後、インク吐出面に付着したパージインクをワイパーで拭き取る記録ヘッドの回復システム及びそれを備えたインクジェット記録装置、並びに記録ヘッドの回復方法に関するものである。
【背景技術】
【０００２】
ファクシミリ、複写機、プリンターのような記録装置として、インクを吐出して画像を形成するインクジェット記録装置が、高精細な画像を形成できることから広く用いられている。
【０００３】
このようなインクジェット記録装置では、インクの直進性の悪化（飛翔曲がり）や不吐出等が発生して記録ヘッドの印字性能が低下することがある。この原因としては、用紙（記録媒体）の搬送時に発生する紙粉や埃、塵のような異物や、画像記録のためのインク滴と共に吐出される微小なインク滴（以下、ミストと称する）や、インク滴が記録媒体に付着した際に発生する跳ね返りミストが、記録ヘッドのインク吐出面に付着することによるメニスカス異常の発生が考えられる。また、キャップ装着箇所へミストが付着して乾燥することによるキャップ装着時の密閉性の低下、及びそれに伴うノズル内のインクの粘度上昇の発生も考えられる。
【０００４】
そこで、記録ヘッドのインク吐出面に開口が設けられた吐出ノズル内のインクの乾燥や、吐出ノズル内のインクの増粘によるノズルの目詰まりを防止するために、ノズルからインクを強制的に押出（パージ）した後、インク吐出面（ノズル面）に付着したパージインクをワイパーで拭き取って記録ヘッドの回復処理を行う構成が用いられている。
【０００５】
例えば、記録ヘッドのインク吐出面のノズルのない部分にワイパーを所定の接触圧で接触させてインク吐出面を拭き取る方法が知られている。具体的には、図３０Ａのように、記録ヘッド１０１のインク吐出面１０１ａの、吐出ノズルの配置されたノズル領域１０２の外側の領域（拭き取り開始位置）にワイパー１０３を略垂直に押し当てる。次に、図３０Ｂ、図３０Ｃのようにワイパー１０３をインク吐出面１０１ａに沿って矢印Ａ方向に水平移動させることでノズル領域１０２のインク１０４を拭き取り、図３０Ｄのようにワイパー１０３をインク吐出面１０１ａから離間させた後、矢印Ａ′方向に水平移動させることで拭き取り開始位置まで戻す。
【０００６】
しかし、図３０Ａ〜図３０Ｄに示す方法では、図３１Ａに示すように、２回目の拭き取り時にはワイパー１０３の側面および先端にインク１０４ａ、１０４ｂが付着している。ワイパー１０３の側面および先端に付着したインク１０４ａ、１０４ｂは空気に触れて増粘しており、図３１Ｂおよび図３１Ｃのように、インク吐出面１０１ａに付着する。
【０００７】
上記のように拭き取り動作を繰り返すことで、拭き取り開始位置近傍に徐々にインク１０４ｂが溜まり、大きなインク溜まりとなる。このインク溜まりがインク吐出面１０１ａの下方を通過する記録媒体上に落下したり、接触したりして印字面を汚してしまうという不都合があった。
【０００８】
この不都合を改善するために、特許文献１には、記録ヘッドのインク吐出面に順次接触可能な２枚のワイパーを有し、先行するワイパーによってパージインクを拭き取り、後続のワイパーによって先行するワイパーの拭き取り開始位置近傍に残るインクを拭き取るようにしたインクジェット記録装置のワイピング機構が開示されている。
【先行技術文献】
【特許文献】
【０００９】
【特許文献１】特開２０１３−４９２０５号公報
【発明の概要】
【発明が解決しようとする課題】
【００１０】
しかしながら、特許文献１の構造では、後続のワイパーが拭き取ったインクが、次回の拭き取り時に、後続のワイパーの拭き取り開始位置に付着する。そして、拭き取り動作を繰り返すことによって、大きなインク溜まりが形成されるという問題点がある。また、このワイピング機構では、ワイパーの数が多くなるので構造が複雑になるという問題点もある。
【００１１】
本発明は、上記のような課題を解決するためになされたものであり、本発明の目的は、簡易な構成で、インク吐出面におけるインク溜まりの発生を抑制することが可能な記録ヘッドの回復システム及びそれを備えたインクジェット記録装置、並びに記録ヘッドの回復方法を提供することである。
【課題を解決するための手段】
【００１２】
上記目的を達成するために、本発明の記録ヘッドの回復システムは、記録媒体上にインクを吐出する吐出ノズルが開口するノズル領域が設けられた記録ヘッドの回復システムであって、吐出ノズルから強制的に押出されたパージインクを拭き取るワイパーと、ワイパーを、ノズル領域を含むインク吐出面に沿って往復移動させる駆動機構と、吐出ノズルからのインクの押し出し及び吐出、並びに駆動機構の動作を制御する制御部と、を備える。制御部は、吐出ノズルからインクを強制的に押出してノズル領域にパージインクを付着させる第１インク押出動作と、インク吐出面におけるノズル領域の外側の第１位置にワイパーを圧接させた後、ワイパーをインク吐出面に圧接させた状態でインク吐出面に沿ってノズル領域側に向かう第１方向に移動させることにより、パージインクを拭き取り、ノズル領域に対して第１位置とは反対側の第２位置までワイパーを移動させる第１拭き取り動作と、第１拭き取り動作の実行後、吐出ノズルからインクを強制的に押出してノズル領域に第１インク押出動作よりも多くのパージインクを付着させる第２インク押出動作と、ワイパーをインク吐出面に圧接させた状態でインク吐出面に沿って第１方向とは反対の第２方向に移動させることにより、第２インク押出動作時に押出されたパージインクを拭き取る第２拭き取り動作と、を含む記録ヘッドの回復動作を実行可能である。
【発明の効果】
【００１３】
本発明によれば、インク吐出面に残留インクが溜まるのを抑制することができるので、大きなインク溜まりが発生するのを抑制することができる。また、記録ヘッドの回復システムの構造が複雑になるのを抑制することができる。
【図面の簡単な説明】
【００１４】
【図１】本発明の一実施形態に係るインクジェット記録装置の構造を示す図
【図２】図１に示すインクジェット記録装置の第１搬送ユニット及び記録部を上方から見た図
【図３】記録部を斜め上方から見た図
【図４】記録部のラインヘッドを構成する記録ヘッドの図
【図５】記録ヘッドをインク吐出面側から見た図
【図６】メンテナンスユニットに搭載されるワイピング機構を斜め上方から見た図
【図７】ワイピング機構を構成するキャリッジを斜め上方から見た図
【図８】ワイピング機構を構成する支持フレームを斜め上方から見た図
【図９】メンテナンスユニットのユニット筐体からワイピング機構を取り外した状態を示す図
【図１０】ユニット筐体に配置される昇降機構の図であり、リフト部材が水平状態にある状態を示す図
【図１１】ユニット筐体に配置される昇降機構の図であり、図１０の状態からリフト部材が起立した状態を示す図
【図１２】昇降機構を構成するリフト部材の図
【図１３】メンテナンスユニットを記録部の下方に配置した状態を示す図
【図１４】図１３の状態におけるメンテナンスユニット内のキャリッジ、ワイパー、支持フレーム、昇降機構を示す図
【図１５】図１４の状態から昇降機構により支持フレーム及びキャリッジが上昇し、ワイパーがインク吐出面に当接して配置された状態を示す図
【図１６】ワイパーを第１位置の下方に配置した状態を示す記録ヘッドの図
【図１７】図１６の状態のインク吐出面を下側から見た記録ヘッドの図
【図１８】ワイパーをインク吐出面に圧接させた状態で矢印Ａ方向に移動させた状態を示す記録ヘッドの図
【図１９】図１８の状態からワイパーを第２位置まで移動させた状態を示す記録ヘッドの図
【図２０】図１９の状態のインク吐出面のノズル領域を下側から見た記録ヘッドの図
【図２１】第２位置においてワイパーをインク吐出面から離間させた状態を示す記録ヘッドの図
【図２２】図２１の状態からワイパーをさらに矢印Ａ方向に移動させた状態を示す記録ヘッドの図
【図２３】図２２の状態からパージインクを押出した状態を示す記録ヘッドの図
【図２４】図２３の状態のインク吐出面のノズル領域を下側から見た記録ヘッドの図
【図２５】図２３の状態からワイパーを上昇させた状態を示す記録ヘッドの図
【図２６】図２５の状態からワイパーを矢印Ａ′方向に移動させた状態を示す記録ヘッドの図
【図２７】図２６の状態からワイパーをさらに矢印Ａ′方向に移動させ、パージインクが残留インクに接触した状態を示す記録ヘッドの図
【図２８】図２７の状態からワイパーを矢印Ａ′方向の下流側端縁まで移動させた状態を示す記録ヘッドの図
【図２９】昇降機構により支持フレーム及びキャリッジが下降し、ワイパーがインク吐出面から離間した状態を示す図
【図３０Ａ】ワイパーをインク吐出面に対し略垂直方向から所定の接触圧で接触させて記録ヘッドのインク吐出面を拭き取る従来のワイピング機構を示す図であり、ワイパーを拭き取り開始位置の下方に配置した状態を示す図
【図３０Ｂ】図３０Ａの状態からワイパーをインク吐出面に接触させながらノズル領域の方向に移動させた状態を示す記録ヘッドの図
【図３０Ｃ】図３０Ｂの状態からワイパーをさらに移動させてノズル領域を通過させた状態を示す記録ヘッドの図
【図３０Ｄ】図３０Ｃの状態からワイパーをインク吐出面から離間させた状態を示す記録ヘッドの図
【図３１Ａ】図３０Ａに示す従来のワイピング機構を用いて２回目の拭き取りを行うためにワイパーを拭き取り開始位置の下方に配置した状態を示す記録ヘッドの図
【図３１Ｂ】図３１Ａの状態からワイパーをインク吐出面に接触させた状態を示す記録ヘッドの図
【図３１Ｃ】図３１Ｂの状態からワイパーをインク吐出面に接触させながらノズル領域の方向に移動させた状態を示す記録ヘッドの図
【発明を実施するための形態】
【００１５】
以下、本発明の実施形態について図面を参照して説明する。
【００１６】
図１に示すように、本発明の一実施形態のインクジェット記録装置１００の左側部には用紙Ｓ（記録媒体）を収容する給紙トレイ２が設けられており、この給紙トレイ２の一端部には収容された用紙Ｓを、最上位の用紙Ｓから順に一枚ずつ後述する第１搬送ユニット５へと給紙するための給紙ローラー３と、給紙ローラー３に圧接され従動回転する従動ローラー４とが設けられている。
【００１７】
用紙搬送方向（矢印Ｘ方向）に対し給紙ローラー３及び従動ローラー４の下流側（図１の右側）には、第１搬送ユニット５及び記録部９が配置されている。第１搬送ユニット５は、用紙搬送方向に対し下流側に配置された第１駆動ローラー６と、上流側に配置された第１従動ローラー７と、第１駆動ローラー６及び第１従動ローラー７に掛け渡された第１搬送ベルト８とを含む構成であり、インクジェット記録装置１００の制御部１１０からの制御信号により第１駆動ローラー６が時計回り方向に回転駆動されることにより、第１搬送ベルト８に保持された用紙Ｓが矢印Ｘ方向に搬送される。
【００１８】
記録部９は、ヘッドハウジング１０と、ヘッドハウジング１０に保持されたラインヘッド１１Ｃ、１１Ｍ、１１Ｙ、及び１１Ｋを備えている。これらのラインヘッド１１Ｃ〜１１Ｋは、第１搬送ベルト８の搬送面に対して所定の間隔（例えば１ｍｍ）が形成されるような高さに支持され、図２および図３に示すように、用紙搬送方向と直交する用紙幅方向（図２の上下方向）に沿って複数（ここでは３個）の記録ヘッド１７ａ〜１７ｃが千鳥状に配列されている。なお、図３は記録部９を図１の奥側（図２の上側）から見た状態を示しており、ラインヘッド１１Ｃ〜１１Ｋの並びは図１及び図２とは逆になっている。
【００１９】
図４及び図５に示すように、記録ヘッド１７ａ〜１７ｃのインク吐出面Ｆには吐出ノズル１８（図２参照）が多数配列されたノズル領域Ｒが設けられている。なお、記録ヘッド１７ａ〜１７ｃは同一の形状及び構成であるため、図４および図５では記録ヘッド１７ａ〜１７ｃを一つの図で示している。
【００２０】
各ラインヘッド１１Ｃ〜１１Ｋを構成する記録ヘッド１７ａ〜１７ｃには、それぞれインクタンク（図示せず）に貯留されている４色（シアン、マゼンタ、イエロー及びブラック）のインクがラインヘッド１１Ｃ〜１１Ｋの色毎に供給される。
【００２１】
各記録ヘッド１７ａ〜１７ｃは、制御部１１０（図１参照）からの制御信号により外部コンピューターから受信した画像データに応じて、第１搬送ベルト８の搬送面に吸着保持されて搬送される用紙Ｓに向かって吐出ノズル１８からインクを吐出する。これにより、第１搬送ベルト８上の用紙Ｓにはシアン、マゼンタ、イエロー、ブラックの４色のインクが重ね合わされたカラー画像が形成される。
【００２２】
また、記録ヘッド１７ａ〜１７ｃの乾燥や目詰まりによるインクの吐出不良を防止するために、長期間停止後の印字開始時は全ての記録ヘッド１７ａ〜１７ｃの吐出ノズル１８から、また印字動作の合間にはインク吐出量が規定値以下の記録ヘッド１７ａ〜１７ｃの吐出ノズル１８から、吐出ノズル１８内の粘度が高くなったインクを押し出すパージを実行して、次の印字動作に備える。
【００２３】
また、記録ヘッド１７ａ〜１７ｃのインク吐出面Ｆの一方端部には、ノズル領域Ｒに比べて親水性の高い親水性部材６０（図１６参照）が貼り付けられている。親水性部材６０は、例えば５０〜１００μｍ厚のＳＵＳ板により形成されており、親水性部材６０の水に対する接触角（約９０度以下）は、ノズル領域Ｒの接触角（約１１０度）よりも約２０度以上小さい。また、親水性部材６０の一部はインク吐出面Ｆから外側に突出しており、その突出した部分は上側に折り曲げられて傾斜面６０ａを形成している。なお、傾斜面６０ａは、インク吐出面Ｆに対して例えば約６０度折り曲げられている。
【００２４】
図１に戻って、用紙搬送方向に対し第１搬送ユニット５の下流側（図１の右側）には第２搬送ユニット１２が配置されている。第２搬送ユニット１２は、用紙搬送方向に対し下流側に配置された第２駆動ローラー１３と、上流側に配置された第２従動ローラー１４と、第２駆動ローラー１３及び第２従動ローラー１４に掛け渡された第２搬送ベルト１５とを含む構成であり、第２駆動ローラー１３が時計回り方向に回転駆動されることにより、第２搬送ベルト１５に保持された用紙Ｓが矢印Ｘ方向に搬送される。
【００２５】
記録部９にてインク画像が記録された用紙Ｓは第２搬送ユニット１２へと送られ、第２搬送ユニット１２を通過する間に用紙Ｓ表面に吐出されたインクが乾燥される。また、第２搬送ユニット１２の下方にはメンテナンスユニット１９及びキャップユニット９０が配置されている。メンテナンスユニット１９は、上述したパージを実行する際に記録部９の下方に移動し、記録ヘッド１７ａ〜１７ｃの吐出ノズル１８から押し出されインク吐出面Ｆに付着しているインクを拭き取り、拭き取られたインクを回収する。キャップユニット９０は、記録ヘッド１７ａ〜１７ｃのインク吐出面Ｆ（図４参照）をキャッピングする際に記録部９の下方に水平移動し、さらに上方に移動して記録ヘッド１７ａ〜１７ｃの下面に装着される。なお、メンテナンスユニット１９の詳細な構成については後述する。
【００２６】
また、用紙搬送方向に対し第２搬送ユニット１２の下流側には、画像が記録された用紙Ｓを装置本体外へと排出する排出ローラー対１６が設けられており、排出ローラー対１６の下流側には、装置本体外へと排出された用紙Ｓが積載される排出トレイ（図示せず）が設けられている。
【００２７】
メンテナンスユニット１９には、図６に示すワイピング機構３０が搭載されている。ワイピング機構３０は、複数のワイパー３５ａ〜３５ｃ（図７参照）が固定された略矩形状のキャリッジ３１と、キャリッジ３１を支持する支持フレーム４０とで構成されている。支持フレーム４０の上面の対向する端縁にはレール部４１ａ、４１ｂが形成されており、キャリッジ３１の四隅に設けられた摺動コロ３６がレール部４１ａ、４１ｂに当接することで、キャリッジ３１は支持フレーム４０に対し矢印ＡＡ′方向に摺動可能に支持される。
【００２８】
図７に示すように、キャリッジ３１は、支持フレーム４０のレール部４１ａ、４１ｂに摺動コロ３６を介して摺動可能に係合する第１ステー３２ａ、３２ｂと、第１ステー３２ａ、３２ｂの間に橋渡し状に固定された第２ステー３３ａ、３３ｂ、３３ｃとで枠体状に形成されている。
【００２９】
第１ステー３２ａには、支持フレーム４０に保持された入力ギア４３（図６参照）に噛み合うラック歯３８が形成されている。入力ギア４３が正逆方向に回転すると、キャリッジ３１は支持フレーム４０に沿って水平方向（図６の矢印ＡＡ′方向）に往復移動する。なお、ラック歯３８および入力ギア４３によって、本発明の駆動機構が構成されている。
【００３０】
ワイパー３５ａ〜３５ｃは、各記録ヘッド１７ａ〜１７ｃの吐出ノズル１８から押し出されたインクを拭き取るための部材である。ワイパー３５ａ〜３５ｃは、吐出ノズル１８のノズル面が露出するノズル領域Ｒ（図５参照）の外側の位置に略垂直方向から圧接され、キャリッジ３１の移動によりノズル領域Ｒを含むインク吐出面Ｆを所定方向（図６の矢印ＡＡ′方向）に拭き取る。
【００３１】
第２ステー３３ａには４枚のワイパー３５ａが略等間隔で固定されており、同様に、第２ステー３３ｂには４枚のワイパー３５ｂが、第２ステー３３ｃには４枚のワイパー３５ｃが略等間隔で固定されている。ワイパー３５ａ、３５ｃは、それぞれ各ラインヘッド１１Ｃ〜１１Ｋを構成する左右の記録ヘッド１７ａ、１７ｃ（図３参照）に対応する位置に配置されている。また、ワイパー３５ｂは、各ラインヘッド１１Ｃ〜１１Ｋを構成する中央の記録ヘッド１７ｂ（図３参照）に対応する位置に配置されており、ワイパー３５ａ、３５ｃに対しキャリッジ３１の移動方向（図６の矢印ＡＡ′方向）と直交する方向に所定距離だけずらして固定されている。
【００３２】
第２ステー３３ａ、３３ｃの上面の４箇所にはギャップコロ３７が設けられている。ギャップコロ３７は、ワイパー３５ａ〜３５ｃによる記録ヘッド１７ａ〜１７ｃのインク吐出面Ｆの拭き取り動作を行うためにワイピング機構３０を記録部９側に上昇させたとき、記録部９のヘッドハウジング１０に当接することでワイパー３５ａ〜３５ｃとインク吐出面Ｆとの接触状態を一定に保持する。
【００３３】
図８に示すように、支持フレーム４０の上面には、ワイパー３５ａ〜３５ｃによってインク吐出面Ｆから拭き取られた廃インクを回収するためのインク回収トレイ４４が配置されている。インク回収トレイ４４の略中央部には、第２ステー３３ａ〜３３ｃの延在方向に沿って溝部４４ａが形成されており、溝部４４ａを挟んで両側のトレイ面４４ｂ、４４ｃは、溝部４４ａに向かって下り勾配となっている。溝部４４ａ内にはインク排出孔４４ｄが設けられており、溝部４４ａの底面はインク排出孔４４ｄに向かって下り勾配となっている。
【００３４】
ワイパー３５ａ〜３５ｃによってインク吐出面Ｆから拭き取られ、トレイ面４４ｂ、４４ｃに落下した廃インクは溝部４４ａに集められ、さらに溝部４４ａ内をインク排出孔４４ｄに向かって流れる。その後、インク排出孔４４ｄに連結されたインク回収路（図示せず）を通って廃インク回収タンク（図示せず）に回収される。
【００３５】
次に、本実施形態のワイピング機構３０を昇降させるための昇降機構５０について説明する。メンテナンスユニット１９は、図９に示すユニット筐体４５と、ユニット筐体４５に取り付けられるワイピング機構３０（図６参照）と、ユニット筐体４５に配置される昇降機構５０と、を含んでいる。ユニット筐体４５の底面４５ａには図９および図１０に示すように、２個のリフト部材５０ａがシャフト５０ｂの両端に固定された昇降機構５０が、キャリッジ３１の移動方向（図６の矢印ＡＡ′方向）に対向する側面４５ｂ、４５ｃに沿って一対配置されている。即ち、昇降機構５０は、記録部９のヘッドハウジング１０の幅方向両端（図２の上下両端部）に対向する位置に配置される。なお、図９では側面４５ｃ側の昇降機構５０の記載を省略している。また、ユニット筐体４５の側面４５ｂ、４５ｃに隣接する側面４５ｄには、モーター４７と、モーター４７の回転駆動力をシャフト５０ｂに伝達する駆動伝達軸４８とが付設されている。
【００３６】
図１２に示すように、リフト部材５０ａの下端部はシャフト５０ｂに固定されており、シャフト５０ｂの回転に伴いリフト部材５０ａは揺動する。リフト部材５０ａの上端部には押し上げコロ５３が回転自在に付設されている。押し上げコロ５３は支持フレーム４０の下端部に形成された係合部４１ｃ（図６参照）に係合しており、係合部４１ｃに沿って回転移動可能となっている。従って、昇降機構５０を作動させる際の支持フレーム４０とリフト部材５０ａとの摩擦が押し上げコロ５３の回転により低減されるため、円滑な昇降動作が可能となる。また、押し上げコロ５３は、コイルバネ５５によってシャフト５０ｂから離間する方向（図１２では上方向）に付勢されている。
【００３７】
図１０の状態から、右側の昇降機構５０のシャフト５０ｂを時計回り方向に、左側の昇降機構５０のシャフト５０ｂを反時計回り方向に回転すると、ユニット筐体４５の内側に倒れ込んだリフト部材５０ａが外側方向（矢印Ｂ方向）に立ち上がり、押し上げコロ５３が係合部４１ｃの外側端部まで移動する。これにより、リフト部材５０ａは水平状態から起立状態（図１１の状態）に切り替えられ、支持フレーム４０と共にキャリッジ３１を上昇させる。
【００３８】
一方、図１１の状態から、右側の昇降機構５０のシャフト５０ｂを反時計回り方向に、左側の昇降機構５０のシャフト５０ｂを時計回り方向に回転すると、リフト部材５０ａがユニット筐体４５の内側方向（矢印Ｂ′方向）に倒れ込み、押し上げコロ５３が係合部４１ｃの内側端部まで移動する。これにより、リフト部材５０ａは起立状態から水平状態（図１０の状態）に切り替えられ、支持フレーム４０と共にキャリッジ３１を下降させる。
【００３９】
次に、本実施形態のインクジェット記録装置１００における、ワイピング機構３０を用いた記録ヘッド１７ａ〜１７ｃの回復動作について説明する。なお、図１４、図１５および図２９では、記録部９及びメンテナンスユニット１９を用紙搬送方向下流側（図１３の左側）から見た状態を示している。また、支持フレーム４０は簡略化して板状に記載しており、ユニット筐体４５は底面４５ａのみを記載している。また、以下で説明する記録ヘッド１７ａ〜１７ｃの回復動作およびキャップユニット装着動作は、制御部１１０（図１参照）からの制御信号に基づいて記録ヘッド１７ａ〜１７ｃ、ワイピング機構３０、昇降機構５０等の動作を制御することによって実行される。
【００４０】
記録ヘッド１７ａ〜１７ｃの回復動作を行う場合、先ず、図１３に示すように、制御部１１０は、記録部９の下方に位置する第１搬送ユニット５を下降させる。そして、制御部１１０は、第２搬送ユニット１２の下方に配置されたメンテナンスユニット１９を水平移動させて記録部９と第１搬送ユニット５との間に配置する。この状態では、図１４に示すように、昇降機構５０のリフト部材５０ａは水平状態にあり、キャリッジ３１に固定されたワイパー３５ａ〜３５ｃは記録ヘッド１７ａ〜１７ｃのインク吐出面Ｆから離間している。
【００４１】
（第１インク押出動作）
ワイピング動作（後述の第１拭き取り動作）に先立って、制御部１１０は、インク２２を記録ヘッド１７ａ〜１７ｃに供給する。図１６に示すように、供給されたインク２２は吐出ノズル１８から強制的に押出（パージ）される。このパージ動作により、吐出ノズル１８内の増粘インク、異物や気泡が吐出ノズル１８から排出され、記録ヘッド１７ａ〜１７ｃを回復することができる。このとき、図１７に示すように、パージインク２２ｂは吐出ノズル１８の存在するノズル領域Ｒの形状に沿ってインク吐出面Ｆに押出される。なお、図１７、図２０、図２４では、図面簡略化のため、吐出ノズル１８の数を削減した状態でのインク形状を示している。
【００４２】
（第１拭き取り動作）
制御部１１０は、ワイパー３５ａ〜３５ｃを、記録ヘッド１７ａ〜１７ｃのインク吐出面Ｆの、ノズル領域Ｒの外側の第１位置Ｐ１に所定の圧力で接触させる。具体的には、図１５および図１６に示すように、制御部１１０は、昇降機構５０のシャフト５０ｂを回転させてリフト部材５０ａを矢印Ｂ方向に起立させることにより、支持フレーム４０及びキャリッジ３１を持ち上げる。このとき、リフト部材５０ａのコイルバネ５５（図１２参照）の付勢力によってキャリッジ３１に設けられたギャップコロ３７がヘッドハウジング１０の下面に押し当てられるため、ワイパー３５ａ〜３５ｃをインク吐出面Ｆに対し常に一定の圧力で圧接させることができる。
【００４３】
ワイパー３５ａ〜３５ｃの先端がインク吐出面Ｆに圧接した状態から、制御部１１０は、入力ギア４３（図６参照）を正回転させてキャリッジ３１を図１５の矢印Ａ方向に移動させる。このことにより、キャリッジ３１に支持されたワイパー３５ａ〜３５ｃも図１８に示すようにインク吐出面Ｆに圧接された状態でインク吐出面Ｆに沿ってノズル領域Ｒの方向（左方向、第１方向、矢印Ａ方向）に移動する。支持フレーム４０には昇降機構５０によって上方向の力が作用しているため、キャリッジ３１はギャップコロ３７がヘッドハウジング１０に押し当てられた状態を維持しながら矢印Ａ方向に移動する。
【００４４】
このとき、図１８に示すように、前回の記録ヘッド回復動作時にワイパー３５ａ〜３５ｃの先端（上端）に残留し、長時間空気に触れて増粘した残留インク２２ａは、インク吐出面Ｆの第１位置Ｐ１に付着し、ワイパー３５ａ〜３５ｃの先端から離間する。
【００４５】
そして、図１９に示すように、ワイパー３５ａ〜３５ｃは、インク吐出面Ｆのパージインク２２ｂを拭き取りながら左方向（矢印Ａ方向）に移動し、ノズル領域Ｒに対して第１位置Ｐ１とは反対側の位置（第２位置Ｐ２、親水性部材６０が設けられた位置）に到達すると、左方向への移動が停止される。なお、ワイパー３５ａ〜３５ｃによって拭き取られた廃インクの大部分は、インク回収トレイ４４（図８参照）に回収される。
【００４６】
ここで、第１拭き取り動作においては、ワイプ開始直後のワイパー３５ａ〜３５ｃの先端はインク２２により濡れていないので、パージインク２２ｂの周縁の増粘した部分を十分に拭き取ることができない。その一方、ワイパー３５ａ〜３５ｃが矢印Ａ方向に移動してワイパー３５ａ〜３５ｃの先端がインク２２により濡れると、インク吐出面Ｆへのインク付着は発生しなくなる。このため、図１９および図２０に示すように、第１拭き取り動作の実行後は、パージインク２２ｂの周縁のうちの第１位置Ｐ１に近い部分が、インク吐出面Ｆに付着して残る。以下、パージインク２２ｂの周縁の増粘してインク吐出面Ｆに残ったインクを、増粘パージインク２２ｃと言う。なお、増粘パージインク２２ｃの堆積が繰り返されると、増粘パージインク２２ｃは増大してインク吐出面Ｆの全体に広がり、インク吐出不良が発生することがある。
【００４７】
（離間動作）
第１拭き取り動作の実行後、図２１に示すように、制御部１１０は、ワイパー３５ａ〜３５ｃをインク吐出面Ｆから離間させる。具体的には、制御部１１０は、昇降機構５０のシャフト５０ｂ（図１５参照）を逆回転させてリフト部材５０ａを矢印Ｂ′方向に揺動させて水平状態にすることにより、支持フレーム４０及びキャリッジ３１を下降させる。なお、ワイパー３５ａ〜３５ｃをインク吐出面Ｆから離間させる際に、図２１に示すようにワイパー３５ａ〜３５ｃの先端にパージインク２２ｂの一部が残る。
【００４８】
（移動動作）
離間動作の実行後、図２２に示すように、制御部１１０は、ワイパー３５ａ〜３５ｃを水平移動させる。具体的には、制御部１１０は、図２１の状態から入力ギア４３（図６参照）を正回転させてキャリッジ３１を矢印Ａ方向に移動させることにより、図２２に示すように、キャリッジ３１に支持されたワイパー３５ａ〜３５ｃが、第２位置Ｐ２に対してノズル領域Ｒとは反対方向（左方向）に移動する。
【００４９】
（第２インク押出動作）
移動動作の実行後、制御部１１０は、インク２２を記録ヘッド１７ａ〜１７ｃに供給する。図２３および図２４に示すように、第１インク押出動作よりも多くのインク２２が吐出ノズル１８から強制的に押出（パージ）される。これにより、第１拭き取り動作後に残った増粘パージインク２２ｃは、第２インク押出動作により押出されたパージインク２２ｄによって覆われて再溶解される。なお、押出圧力を高くしたり、押出時間を長くしたりすることによって、第２インク押出動作によるパージインク２２ｄの量を、第１インク押出動作によるパージインク２２ｃの量よりも容易に多くすることができる。
【００５０】
（第２拭き取り動作）
その後、制御部１１０は、インク吐出面Ｆのパージインク２２ｂ、２２ｄおよび残留インク２２ａを拭き取るワイピング動作を行う。具体的には、制御部１１０は、昇降機構５０のシャフト５０ｂを回転させてリフト部材５０ａを矢印Ｂ方向に起立させることにより、支持フレーム４０及びキャリッジ３１を持ち上げる。これにより、図２５に示すように、ワイパー３５ａ〜３５ｃをインク吐出面Ｆに接触できる高さまで上昇させる。そして、制御部１１０は、図２５の状態から入力ギア４３（図６参照）を逆回転させてキャリッジ３１を矢印Ａ方向と反対方向（右方向、第２方向）に移動させることにより、図２６に示すように、ワイパー３５ａ〜３５ｃがインク吐出面Ｆに圧接された状態でインク吐出面Ｆに沿ってノズル領域Ｒの方向（右方向）に移動する。このとき、離間動作後にワイパー３５ａ〜３５ｃの先端に少しだけ付着していたインクは、親水性部材６０の傾斜面６０ａに掻き取られる。なお、親水性部材６０の傾斜面６０ａにインクが溜まった場合であっても、インク吐出面Ｆにインクが溜まる場合と異なり、溜まったインクが紙面に接触して汚してしまうのを抑制することができる。
【００５１】
そして、第２位置Ｐ２のパージインク２２ｂと、増粘パージインク２２ｃを再溶解したノズル領域Ｒのパージインク２２ｄと、第１位置Ｐ１の残留インク２２ａと、が拭き取られる。このとき、図２７に示すようにワイパー３５ａ〜３５ｃに拭き取られたパージインク２２ｂおよび２２ｄが残留インク２２ａに接触した際に、残留インク２２ａがパージインク２２ｂおよび２２ｄに再溶解して残留インク２２ａの増粘が緩和される。
【００５２】
その後、制御部１１０は、ワイパー３５ａ〜３５ｃを、それぞれ記録ヘッド１７ａ〜１７ｃのインク吐出面Ｆの端縁（図２８の右端縁）まで移動させ、ワイパー３５ａ〜３５ｃによって拭き取られた廃インクは流れ落ちてインク回収トレイ４４（図８参照）に回収される。そして、図２９に示すように、制御部１１０は、昇降機構５０のシャフト５０ｂを回転させてリフト部材５０ａを矢印Ｂ′方向に倒伏させることにより、ワイパー３５ａ〜３５ｃを、記録ヘッド１７ａ〜１７ｃのインク吐出面Ｆから下方に退避させてメンテナンスユニット１９を図１４の状態に戻す。最後に、制御部１１０は、記録部９と第１搬送ユニット５との間に配置されたメンテナンスユニット１９を水平移動させて第２搬送ユニット１２の下方に配置し、第１搬送ユニット５を所定の位置まで上昇させて記録ヘッド１７ａ〜１７ｃの回復動作を終了する。
【００５３】
記録ヘッド１７ａ〜１７ｃにキャップユニット９０を装着する場合は、先ず、図１３に示すように、制御部１１０は、記録部９の下面に対向配置されている第１ベルト搬送部５を下降させる。そして、第２ベルト搬送部１２の下方に配置されたキャップユニット９０を記録部９と第１ベルト搬送部５との間に水平移動させて記録部９に対向する位置に配置する。
【００５４】
次いで、制御部１１０は、第１ベルト搬送部５を上昇させることにより、キャップユニット９０が押し上げられる。そして、制御部１１０は、キャップユニット９０が記録ヘッド１７ａ〜１７ｃに密着した時点で第１ベルト搬送部５の上昇を停止させることにより、キャップユニット９０の装着を完了する。
【００５５】
本実施形態では、上記のように、第１拭き取り動作の実行後、ワイパー３５ａ〜３５ｃをインク吐出面Ｆに沿って矢印Ａ′方向（右方向）に移動させる第２拭き取り動作を実行することによって、ワイパー３５ａ〜３５ｃにより第１位置Ｐ１の残留インク２２ａを拭き取ることができる。これにより、インク吐出面Ｆに残留インク２２ａが溜まるのを抑制することができるので、大きなインク溜まりが発生するのを抑制することができる。また、インク吐出面Ｆに順次接触する２枚のワイパー３５ａ〜３５ｃを設ける場合（上記特許文献１の構成）と異なり、ワイパー３５ａ〜３５ｃの数が多くなるのを抑制することができるので、記録ヘッド１７ａ〜１７ｃの回復システムの構造が複雑になるのを抑制することができる。
【００５６】
また、第２拭き取り動作において、ワイパー３５ａ〜３５ｃを、矢印Ａ′方向（右方向）に移動させることによって、ワイパー３５ａ〜３５ｃは第２インク押出動作時に押出されたパージインク２２ｄを拭き取った後で第１位置Ｐ１の残留インク２２ａを拭き取ることになる。これにより、ワイパー３５ａ〜３５ｃが残留インク２２ａを拭き取る際に、増粘していないパージインク２２ｄが、長時間大気にさらされて増粘した残留インク２２ａに接触するので、残留インク２２ａがパージインク２２ｄに再溶解して残留インク２２ａの増粘が緩和される。このため、第２拭き取り動作において、インク吐出面Ｆに付着した残留インク２２ａをワイパー３５ａ〜３５ｃにより、拭き取り易くすることができる。
【００５７】
また、第２インク押出動作において、吐出ノズル１８からインク２２を強制的に押出してノズル領域Ｒに第１インク押出動作よりも多くのパージインク２２ｄを付着させる。これにより、第１拭き取り動作後にパージインク２２ｂの周縁であった部分に残った増粘パージインク２２ｃを、第２インク押出動作時に押出されたパージインク２２ｄによって再溶解させることができる。このため、第２拭き取り動作において、第１拭き取り動作後に残った増粘パージインク２２ｃを拭き取り易くすることができる。
【００５８】
また、上記のように、第２拭き取り動作において、パージインク２２ｂを付着させた第２位置Ｐ２に対してノズル領域Ｒとは反対側の位置から、ワイパー３５ａ〜３５ｃをインク吐出面Ｆに沿って矢印Ａ′方向（右方向）に移動させることにより、第２位置Ｐ２のパージインク２２ｂと第２インク押出動作時に押出されたパージインク２２ｄとを拭き取る。これにより、第２拭き取り動作において第２位置Ｐ２から矢印Ａ′方向（右方向）側で拭き残しが生じるのを抑制することができる。なお、第２位置Ｐ２においてパージインク２２ｂが不足している領域がある場合、第２拭き取り動作を実行すると、パージインク２２ｂが不足している領域ではインク吐出面Ｆに拭き残しが生じてしまう。
【００５９】
また、ワイパー３５ａ〜３５ｃは第２位置Ｐ２のパージインク２２ｂを拭き取った後で第２インク押出動作時に押出されたパージインク２２ｄを拭き取ることになる。これにより、仮に、第２インク押出動作時に押出されたパージインク２２ｄの周縁が増粘した場合であっても、その増粘パージインクを、第２位置Ｐ２のパージインク２２ｂによって再溶解させて拭き取ることができる。
【００６０】
また、上記のように、第２位置Ｐ２は、ノズル領域Ｒに比べて親水性が高くなるように形成されている。これにより、離間動作において、第２位置Ｐ２に付着するインク２２の量を増加させることができる。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
例えば、上記実施形態では、第１インク押出動作を、第１拭き取り動作の前に実行したが、ワイパー３５ａ〜３５ｃがノズル領域Ｒに進入する前であれば、第１拭き取り動作と同時に実行してもよい。
【００６３】
また、上記実施形態では、第２インク押出動作を、離間動作の後に実行したが、離間動作の前に実行してもよいし、ワイパー３５ａ〜３５ｃがノズル領域Ｒに進入する前であれば、第２拭き取り動作と同時に実行してもよい。
【００６４】
また、上記実施形態では、親水性部材６０をＳＵＳ板により形成した例について示したが、本発明はこれに限らない。親水性部材６０を樹脂部材やフィルムにより形成してもよい。
【００６５】
また、上記実施形態では、インク吐出面Ｆの第２位置Ｐ２を含む所定領域に、親水性部材６０を設けた例について示したが、親水性部材６０を設けなくてもよい。
【００６６】
また、駆動機構（ラック歯３８、入力ギア４３）や昇降機構５０は、従来公知の他の駆動機構や昇降機構を用いることができる。記録ヘッド１７ａ〜１７ｃの吐出ノズル１８の個数やノズル間隔等もインクジェット記録装置１００の仕様に応じて適宜設定することができる。また、記録ヘッドの数も特に限定されるものではなく、例えば各ラインヘッド１１Ｃ〜１１Ｋにつき記録ヘッド１７を１個、２個、或いは４個以上配置することもできる。
【００６７】
また、本発明は、ラインヘッド１１Ｃ〜１１Ｋのうちいずれか１つのみを備えた単色印刷用のインクジェット記録装置にも適用できる。その場合、記録ヘッド１７ａ〜１７ｃは１つずつ設けられるため、記録ヘッド１７ａ〜１７ｃに対応するワイパー３５ａ〜３５ｃもキャリッジ３１に１枚ずつ固定すれば良い。
【符号の説明】
【００６８】
１７ａ〜１７ｃ  記録ヘッド
１８  吐出ノズル
２２  インク
２２ａ  残留インク
２２ｂ、２２ｄ  パージインク
３５ａ〜３５ｃ  ワイパー
３８  ラック歯（駆動機構）
４３  入力ギア（駆動機構）
６０  親水性部材
１００  インクジェット記録装置
１１０  制御部
Ｆ  インク吐出面
Ｐ１  第１位置
Ｐ２  第２位置
Ｒ  ノズル領域
Ｓ  用紙（記録媒体）
【図１】
0006308113.tif 000002
【図２】
0006308113.tif 000003
【図３】
0006308113.tif 000004
【図４】
0006308113.tif 000005
【図５】
0006308113.tif 000006
【図６】
0006308113.tif 000007
【図７】
0006308113.tif 000008
【図８】
0006308113.tif 000009
【図９】
0006308113.tif 000010
【図１０】
0006308113.tif 000011
【図１１】
0006308113.tif 000012
【図１２】
0006308113.tif 000013
【図１３】
0006308113.tif 000014
【図１４】
0006308113.tif 000015
【図１５】
0006308113.tif 000016
【図１６】
0006308113.tif 000017
【図１７】
0006308113.tif 000018
【図１８】
0006308113.tif 000019
【図１９】
0006308113.tif 000020
【図２０】
0006308113.tif 000021
【図２１】
0006308113.tif 000022
【図２２】
0006308113.tif 000023
【図２３】
0006308113.tif 000024
【図２４】
0006308113.tif 000025
【図２５】
0006308113.tif 000026
【図２６】
0006308113.tif 000027
【図２７】
0006308113.tif 000028
【図２８】
0006308113.tif 000029
【図２９】
0006308113.tif 000030
【図３０Ａ】
0006308113.tif 000031
【図３０Ｂ】
0006308113.tif 000032
【図３０Ｃ】
0006308113.tif 000033
【図３０Ｄ】
0006308113.tif 000034
【図３１Ａ】
0006308113.tif 000035
【図３１Ｂ】
0006308113.tif 000036
【図３１Ｃ】
0006308113.tif 000037